(57)【特許請求の範囲】
【請求項１】
ＷＤＭ信号光を分波した波長光が伝搬する複数の方路で前記波長光を光増幅する際に、
各々の前記方路での前記波長光の数に応じて、互いに異なる光強度の励起光を出力する複数の光源からの前記励起光をいずれの前記方路に割り当てるかを判断する判断部を備える制御回路。
【請求項２】
前記励起光のうち少なくとも１つが、前記ＷＤＭ信号光に含まれる全波長を光増幅可能な光強度であることを特徴とする請求項１に記載の制御回路。
【請求項３】
前記励起光が前記方路の前記波長光の光増幅に必要な光強度に未達である場合、前記方路の前記波長光の光増幅に予備の前記励起光を用いるよう判断することを特徴とする請求項１又は２に記載の制御回路。
【請求項４】
予備の前記励起光が、前記ＷＤＭ信号光に含まれる全波長を光増幅可能な光強度であることを特徴とする請求項３に記載の制御回路。
【請求項５】
請求項１から４のいずれかに記載の制御回路と、
各々の前記方路に配置された光増幅器と、
互いに光強度が異なる前記励起光を出力する複数の光源と、
前記制御回路の判断に従い、前記光源からの前記励起光の光経路を切り換えて前記光増幅器へ入力する光スイッチと、
を備える光増幅制御装置。
【請求項６】
請求項１から４のいずれかに記載の制御回路と、
互いに光強度が異なる前記励起光を出力する複数の光源と、
前記光源からの前記励起光がそれぞれ入力される光増幅器と、
前記制御回路の判断に従い、前記方路の前記波長光の光経路を切り換えて前記光増幅器へ入力する光スイッチと、
を備える光増幅器制御装置。
【請求項７】
前記光増幅器は、ＥＤＦであることを特徴とする請求項５又は６に記載の光増幅器制御装置。
【請求項８】
前記光増幅器は、ラマン増幅用ファイバでであることを特徴とする請求項５又は６に記載の光増幅器制御装置。
【請求項９】
ＷＤＭ信号光を分波した波長光が伝搬する複数の方路で前記波長光を光増幅する際に、
各々の前記方路での前記波長光の数に応じて、互いに異なる光強度の励起光を出力する複数の光源からの前記励起光をいずれの前記方路に割り当てるかを判断する光増幅器制御方法。
【請求項１０】
ＷＤＭ信号光を分波した波長光が伝搬する複数の方路で前記波長光を光増幅する際に、
各々の前記方路での前記波長光の数に応じて、互いに異なる光強度の励起光を出力する複数の光源からの前記励起光をいずれの前記方路に割り当てるかを判断させるように制御回路を動作させる光増幅器制御プログラム。
【発明の詳細な説明】
【技術分野】
【０００１】
本発明は、励起光を用いて光信号を増幅する光増幅器の制御装置に関する。
【背景技術】
【０００２】
近年、波長多重システム（ＷＤＭ  ｓｙｓｔｅｍ：Ｗａｖｅｌｅｎｇｔｈ  Ｄｉｖｉｓｉｏｎ  Ｍｕｌｔｉｐｌｅｘｉｎｇ  Ｓｙｓｔｅｍ）には、ＯＡＤＭ（Ｏｐｔｉｃａｌ  Ａｄｄ  Ｄｒｏｐ  Ｍｕｌｔｉｐｌｅｘｉｎｇ）等の技術が適用されており、特にユーザーサイドと基幹ネットワークを結ぶメトロ・アクセス系のネットワークにおいて必須の技術となっている。なぜなら、波長多重された信号から任意の波長をＡｄｄ／Ｄｒｏｐすることで、ユーザーに応じて通信容量を変更することができ、フレキシブルなネットワークを構成することができるからである。
【０００３】
このネットワークにおいて、Ｄｒｏｐ構成例を図１に示す。まず、ＷＤＭ信号光９は、エルビウム添加ファイバ３（ＥＤＦ：Ｅｒｂｉｕｍ−Ｄｏｐｅｄ  Ｆｉｂｅｒ）を増幅媒体とした光増幅器で増幅される。増幅媒体は、レーザダイオード１９９（ＬＤ：Ｌａｓｅｒ  Ｄｉｏｄｏ）により光カプラ５９を介して励起される。入出力ＷＤＭ信号光の一部は、それぞれ光カプラ６８、光カプラ６９で分岐され、受光器７８（ＰＤ：Ｐｈｏｔｏ  Ｄｉｏｄｏ）、ＰＤ７９で光電変換された後、制御回路２９９で、制御方式に応じてＬＤ１９９の制御値が導出される。例えば、利得一定制御方式だと、入出力の利得が一定となるようなＬＤ１９９の制御値を導出する。
【０００４】
増幅されたＷＤＭ信号光は分波器９９で分波され、そのうち必要な信号光はドロップ信号光１９としてＤｒｏｐされ、それ以外の信号光はスルー信号光１８としてスルーされる。
【０００５】
図２は、次世代のＤｒｏｐ構成の候補のひとつとして考えられているＤｒｏｐ構成例である。図２の構成では、ＷＤＭ信号光９を増幅する前に、分波器７９９で複数の方路に分波する。図２では、方路１と方路２に分波している。図２の構成は、図１の構成に加え、方路が選択できるため、更なるフレキシブルなネットワークが実現できる。
【０００６】
図１や図２の構成に適用可能な光増幅器の例が特許文献１及び２に記載されている。特許文献１の光直接増幅器は、光増幅部、励起ＬＤ光源、信号検出器、及び制御回路で構成される。特許文献１の光直接増幅器は、入力光多重信号の信号チャンネル数が多い場合は、励起ＬＤ光源数を増加させ、信号チャンネル数が減少した場合は、励起ＬＤ光源数を減少させるように動作する。
【０００７】
特許文献２の波長多重光中継器は、複数の光伝送路、励起光源、及びＥＤＦで構成される。特許文献２の波長多重光中継器は、ＷＤＭ信号を波長毎に分波して、それぞれを光増幅して合波するように動作する。
【先行技術文献】
【特許文献】
【０００８】
【特許文献１】特開２０００−３３２３３０号公報
【特許文献２】特開２００１−１４８６６９号公報
【発明の概要】
【発明が解決しようとする課題】
【０００９】
光増幅器は、一般的に、ＷＤＭ信号光の入力波長数に応じたＬＤの出力（励起光の光強度）の増加が必要である。そして、図２のような構成とした場合、方路１または方路２に全てのＷＤＭ信号光が選択される可能性があるため、全てのＷＤＭ信号光を増幅可能な光強度の励起光が各方路のＬＤに求められる。これは、図２のような次世代のＤｒｏｐ構成を採用すると、特許文献１及び２の構成の光増幅器の励起光源を方路台分用意する必要があり、方路数の増加に比例してコストが増加するという問題ある。
【００１０】
そこで、本発明の目的は、コストの増加が方路数の増加に比例しない光増幅器制御装置を提供することにある。
【課題を解決するための手段】
【００１１】
上記目的を達成するために、本発明に係る制御回路は、複数の方路のいずれかを伝搬する分波されたＷＤＭ信号光の波長光を光増幅する際に、各々の前記方路での前記波長光に関するパラメータに応じて、互いに光強度が異なる励起光をいずれの前記方路に割り当てるかを判断する判断部を備える。
【００１２】
上記目的を達成するために、本発明に係る光増幅器制御装置は、前記制御回路と、各々の前記方路に配置された光増幅器と、互いに光強度が異なる前記励起光を出力する複数の光源と、前記制御回路の判断に従い、前記光源からの前記励起光の光経路を切り換えて前記光増幅器へ入力する光スイッチと、を備える。
【００１３】
上記目的を達成するために、本発明に係る光増幅器制御装置は、前記制御回路と、互いに光強度が異なる前記励起光を出力する複数の光源と、前記光源からの前記励起光がそれぞれ入力される光増幅器と、前記制御回路の判断に従い、前記方路の前記波長光の光経路を切り換えて前記光増幅器へ入力する光スイッチと、を備える。
【００１４】
上記目的を達成するために、本発明に係る光増幅器制御方法は、複数の方路のいずれかを伝搬する分波されたＷＤＭ信号光の波長光を光増幅する際に、各々の前記方路での前記波長光に関するパラメータに応じて、互いに光強度が異なる励起光をいずれの前記方路に割り当てるかを判断する。
【００１５】
上記目的を達成するために、本発明に係る光増幅器制御プログラムは、複数の方路のいずれかを伝搬する分波されたＷＤＭ信号光の波長光を光増幅する際に、各々の前記方路での前記波長光に関するパラメータに応じて、互いに光強度が異なる励起光をいずれの前記方路に割り当てるかを判断させるように制御回路を動作させる。
【発明の効果】
【００１６】
本発明によれば、コストの増加が方路数の増加に比例しない光増幅器制御装置を提供することができる。
【図面の簡単な説明】
【００１７】
【図１】関連するＤｒｏｐ構成を説明する図である。
【図２】関連するＤｒｏｐ構成を説明する図である。
【図３】本発明に係る制御回路を説明する図である。
【図４】本発明に係る光増幅器制御装置を説明する図である。
【図５】本発明に係る光増幅器制御装置を説明する図である。
【図６】本発明に係る光増幅器制御装置を説明する図である。
【図７】本発明に係る光増幅器制御装置を説明する図である。
【図８】本発明に係る光増幅器制御装置を説明する図である。
【図９】本発明に係る光増幅器制御装置を説明する図である。
【図１０】本発明に係る光増幅器制御装置を説明する図である。
【図１１】本発明に係る光増幅器制御装置を説明する図である。
【図１２】本発明に係る光増幅器制御装置を説明する図である。
【図１３】本発明に係る光増幅器制御装置を説明する図である。
【図１４】本発明に係る光増幅器制御装置を説明する図である。
【図１５】本発明に係る光増幅器制御装置を説明する図である。
【図１６】本発明に係る光増幅器制御方法を説明する図である。
【図１７】本発明に係る光増幅器制御方法を説明する図である。
【発明を実施するための形態】
【００１８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１９】
（実施形態１）
図３は、本実施形態の制御回路３００を説明する図である。制御回路３００は、複数の方路のいずれかを伝搬する分波されたＷＤＭ信号光の波長光を光増幅する際に、各々の前記方路での前記波長光に関するパラメータに応じて、互いに光強度が異なる励起光をいずれの前記方路に割り当てるかを判断する判断部３０１を備える。ここで、波長光に関するパラメータは、例えば、波長光に関するパラメータ（波長数）や方路を伝搬する光の光強度とすることができる。
【００２０】
制御回路３００は、図１６のように動作する。すなわち、制御回路３００は、複数の方路のいずれかを伝搬する分波されたＷＤＭ信号光の波長光を光増幅する際に、各々の前記方路での前記波長光に関するパラメータに応じて（ステップＳ１２）、互いに光強度が異なる励起光をいずれの前記方路に割り当てるかを判断（ステップＳ１３）する光増幅器制御方法を実行する。
【００２１】
（実施形態２）
図４は、制御回路３００を組み込んだ光増幅制御装置４０２を説明する図である。光増幅制御装置４０２の最小構成要素は、制御回路３００と、各々の前記方路に配置された光増幅器（４、５）と、互いに光強度が異なる前記励起光を出力する複数の光源（２００、２０１）と、制御回路３００の判断に従い、光源（２００、２０１）からの励起光の光経路を切り換えて光増幅器（４、５）へ入力する光スイッチ３２と、である。図４は、具体的な光増幅制御装置４０２を説明しているため、最小構成要素以外の部品も記載されている。本実施形態では、光増幅器（４、５）は、ＥＤＦである。このため、以下では光増幅器をＥＤＦ（４、５）として説明する。なお、本実施形態では、方路を２つとしたが、方路数はこれに限らない。
【００２２】
分波器８００は、光カプラ６０と光カプラ６１に接続される。光カプラ６０、光カプラ６１は、それぞれＥＤＦ４とＰＤ７０、ＥＤＦ５とＰＤ７１に接続される。ＥＤＦ４、ＥＤＦ５は、それぞれ光カプラ５０、光カプラ５１を介して、光カプラ６２と光スイッチ３２、光カプラ６３と光スイッチ３２に接続される。光スイッチ３２はＬＤ２００、ＬＤ２０１、制御回路３００と接続される。制御回路３００は、ＰＤ７０、ＰＤ７１、ＰＤ７２、ＰＤ７３と接続される。光カプラ６２、光カプラ６３は、それぞれＰＤ７２と分波器１００、ＰＤ７３と分波器１０１に接続される。図中の実線は光接続を示し、点線は電気接続をあらわしている。
【００２３】
光増幅制御装置４０２の動作について、図４を用いて説明する。ＷＤＭ信号光９は、分波器８００で方路１と方路２の波長光に分波される。方路１に分波された波長光は、光カプラ６０で、モニター用に一部分岐されてＰＤ７０に入力される。このモニター用の光は、光強度が方路１を伝搬する波長光の数を表すため、ＰＤ７０で電気信号に変換されて制御回路３００に通知される。
【００２４】
モニター用以外の波長光は、ＥＤＦ４に入力され、光カプラ５０で、ＬＤ２００またはＬＤ２０１からの励起光と合波される。光スイッチ３２はいずれのＬＤからの励起光を合波するかを選択する。光スイッチ３２によるＬＤの選択は、制御回路３００からの指示によって行われる。
【００２５】
ＬＤ２００は、ＷＤＭ信号光９の全波長を光増幅可能な光強度を光を出力することができる。ＬＤ２０１は、ＷＤＭ信号光９の全波長の１／２の波長を光増幅可能な光強度の光を出力することができる。
【００２６】
制御回路３００は、ＰＤ７０が検出したモニター用光の光強度に基づき、方路１の波長光の数（波長数）がＷＤＭ信号光９の波長数の半分以上であればＬＤ２００を、半分未満であればＬＤ２０１を選択する。
【００２７】
ＥＤＦ４中のＥｒ３＋（エルビウムイオン）はＬＤの励起光により励起され、波長光は励起されたＥｒ３＋で増幅されて出力される。
【００２８】
ＥＤＦ４から出力された波長光は、光カプラ６２でモニター用に一部分岐されて、ＰＤ７２に入力される。ＰＤ７２は、分岐された波長光を電気信号に変換して制御回路３００に通知する。制御回路３００は、光増幅の制御方式に従い、ＬＤ２００とＬＤ２０１の出力制御値を決定する。例えば、利得一定制御方式の場合、制御回路３００は入出力の利得（ＥＤＦ４前後の利得）が一定となるようなＬＤの出力制御値を導出する。
【００２９】
以上のように、分波され方路１を伝搬する波長光は、ＥＤＦ４で所望の出力レベルまで増幅され、分波器１００でドロップ信号光１２とスルー信号光１１に分波される。方路２に分波された波長光も、方路１の説明と同様に増幅制御され、分波器１０１でドロップ信号光２１とスルー信号光２０に分波される。
【００３０】
次に、本実施形態の効果を説明する。
（効果１）
図２の構成の場合、いずれの方路にもＷＤＭ信号光９に含まれる全波長を増幅できる光強度の光を出力するＬＤ（ＷＤＭ信号光の全波長用ＬＤ）を用意する必要がある。すなわち、波長数が大きいほど必要な出力も増加し、ＬＤのコストが高くなる。しかしながら、本実施形態の構成とすることで、一方の方路のＬＤの出力を全波長用ＬＤの１／２とすることができるため、一方のＬＤのコストを低減することができる。
【００３１】
（効果２）
効果１で説明したコスト低減の効果は、方路数が増加するほど大きくなる。例えば、方路数４の光増幅器制御装置の場合を説明する。この光増幅器制御装置に配置される４つのＬＤは次の通りである。
ＷＤＭ信号光の全波長用ＬＤ・・・１個
ＷＤＭ信号光の全波長の１／２用ＬＤ・・・１個
ＷＤＭ信号光の全波長の１／３用ＬＤ・・・１個
ＷＤＭ信号光の全波長の１／４用ＬＤ・・・１個
図２のような構成の場合、ＷＤＭ信号光の全波長用ＬＤが４個必要となる。ＷＤＭ信号光の全波長用ＬＤのコストを１とすると、図２のような構成の場合、ＬＤコストは４となる。ここで、波長の減衰量が直接コストに比例すると仮定すると、本発明の装置全体では、
１＋１／２＋１／３＋１／４＝２５／１２
のＬＤコストとなり、大幅なコスト低減が図れる。
【００３２】
（実施形態３）
（効果３）
図５は、実施形態３の光増幅器制御装置４０３を説明する図である。光増幅器制御装置４０３と図４の光増幅器制御装置４０２との違いは、ＥＤＦ（４、５）前段で波長光のモニターを行っていない点である。光増幅器制御装置４０３での光増幅の制御方法は、例えば、光出力一定制御である。本実施形態の構成でも上述の効果１及び効果２を得ることができる。
【００３３】
（実施形態４）
（効果４）
図６は、実施形態４の光増幅器制御装置４０４を説明する図である。光増幅器制御装置４０４と図４の光増幅器制御装置４０２との違いは、ＥＤＦ（４、５）後段で波長光のモニターを行っていない点である。光増幅器制御装置４０４での光増幅の制御方法は、例えば、簡易利得一定制御（入力レベルに比例してＬＤの出力を調整する方法）である。本実施形態の構成でも上述の効果１及び効果２を得ることができる。
【００３４】
（効果５）
図４の光増幅器制御装置４０２のように励起光をＥＤＦ（４、５）の後方から入力するだけでなく、励起光をＥＤＦ（４、５）の前方から入力しても上記効果を得ることができる。
【００３５】
（効果６）
一般的に、ＥＤＦの特性としてＬＤからの励起光が遮断されてもＥｒ３＋イオンの励起状態はある一定時間（寿命時間）継続される。このため、光スイッチ３２の速度をＥＤＦの励起状態寿命時間よりも早く切り換えることで、ＷＤＭ信号光の方路変更を無瞬断で行うことができる。
【００３６】
（実施形態５）
（効果７）
図７は、実施形態５の光増幅器制御装置４０５を説明する図である。光増幅器制御装置４０５と図４の光増幅器制御装置４０２との違いは、予備用のＬＤ用のポートが光スイッチ３２にあること及び予備用のＬＤ２０２が光スイッチ３２に接続されている点である。光増幅器制御装置４０５の制御回路３００は、図１７のように動作する。すなわち、制御回路３００は、図１６で説明したステップＳ１３の後に、ＬＤの出力光を確認し、所望の出力が得られるか確認し（ステップＳ１５）、励起光が方路の波長光の光増幅に必要な光強度に未達である場合、方路の前記波長光の光増幅に予備の励起光を用いるよう判断する（ステップＳ１６）。予備の励起光を出力するＬＤ２０２は、ＷＤＭ信号光の全波長用とする。光増幅器制御装置４０５は、ＬＤ２００又はＬＤ２０１が劣化や故障をしても、そのＬＤを交換するまで波長光を光増幅することができ品質向上につながる。
【００３７】
（実施形態６）
（効果８）
図８は、実施形態６の光増幅器制御装置４０６を説明する図である。光増幅器制御装置４０６と図４の光増幅器制御装置４０２との違いは、ＥＤＦ（４，５）の前段にも励起光を入力するＬＤ（４００、４０１）及びカプラ（５２，５３）が配置されている点である。すなわち、図２の構成に図４の構成を組み合わせることが可能である。図８に示すように、ＥＤＦ（４、５）に前段と後段にＬＤ（４００、４０１、２００、２０１）が存在する場合に、ＬＤ（４００、４０１）は、図２で説明した制御を行い、ＬＤ（２００、２０１）は、図４で説明した制御を行うように組み合わせが可能であることである。逆に、前段のＬＤを図４で説明したように制御し、後段ＬＤを図２で説明したように制御してもよい。
【００３８】
（実施形態７）
（効果９）
図９は、実施形態７の光増幅器制御装置４０７を説明する図である。光増幅器制御装置４０７と図４の光増幅器制御装置４０２との違いは、ＷＤＭ信号光を分波する構成ではなく、波長光を合波する構成である点である。合波器９００で合波されたスルー信号光１３とアド信号光１４は方路１に結合され、図４の説明のように光増幅される。合波器９０１で合波されたスルー信号光２２とアド信号光２３は方路２に結合され、図４の説明のように光増幅される。合波器１０３は光増幅された波長光を合波してＷＤＭ信号光８を出力する。
【００３９】
（実施形態８）
図１０は、実施形態８の光増幅器制御装置４０８を説明する図である。光増幅器制御装置４０８と図４の光増幅器制御装置４０２との違いは、ＥＤＦ（４、５）の代替にラマン増幅用ファイバ（６００、６０１）を用いて、ラマン増幅を行っている点である。光増幅器制御装置４０８は、効果１、効果２、効果３、効果４、効果７、効果８、効果９を得ることが可能である。
【００４０】
（実施形態９）
図１１は、実施形態９の光増幅器制御装置４０９を説明する図である。光増幅器制御装置４０９と図４の光増幅器制御装置４０２との違いは、ＬＤからの励起光の経路を切り換えるのではなく、方路の波長光の経路を切り換えている点である。光増幅器制御装置４０９の最小構成要素は、制御回路３００と、互いに光強度が異なる励起光を出力するＬＤ（２００、２０１）と、前記励起光がそれぞれ入力されるＥＤＦ（４、５）と、制御回路３００の判断に従い、方路の波長光の光経路を切り換えてＥＤＦ（４、５）へ入力する光スイッチ（５４、５５）と、である。図１１は、具体的な光増幅制御装置４０９を説明しているため、最小構成要素以外の部品も記載されている。光増幅器制御装置４０９ではＥＤＦとＬＤが組になっており、制御回路３００は方路の波長光の数に応じていずれのＥＤＦで光増幅させるかを判断し、光スイッチ（５４、５５）を用いて切り換える。
【００４１】
光増幅器制御装置４０９は、効果１、効果２、効果４、効果５、効果７、効果８、効果９を得ることが可能である。ただし、効果７を得る場合、図１２のように、予備用のＬＤ２０２だけでなく、ＥＤＦ６と光カプラ５４を用意する必要がある。また、図１３のように、ＥＤＦ６の代わりに、ラマン増幅用ファイバ６０２を用意するなどして、増幅方法を変えることもできる。
【００４２】
（実施形態１０）
図１４は、実施形態１０の光増幅器制御装置４１２を説明する図である。光増幅器制御装置４１２と図１１の光増幅器制御装置４０９との違いは、ＥＤＦ（４、５）の代替としてラマン増幅用ファイバ（６００、６０１）を用いている点である。光増幅器制御装置４１２は、効果１、効果２、効果４、効果７、効果８、効果９を得ることが可能である。効果７に関しては、入力レベルが大きく波長光を増幅する必要がない場合（増幅器ファイバの損失とラマン利得が同じ場合等）、図１５のように、ファイバ７１のみ接続された経路に切り換えることで追加でＬＤの消費電力も削減することができる。
【００４３】
（他の実施形態）
上述した実施形態において、光増幅器はＥＤＦ又はラマン増幅用ファイバであるとして説明したが、これらに限らず光を増幅できる媒体であれば同様の効果を得ることができる。
【００４４】
（プログラム）
制御回路３００はコンピュータであり、下記の付記１５〜２０のプログラムで実施形態１から１０で説明したように動作させることができる。
【００４５】
（付記１）
複数の方路のいずれかを伝搬する分波されたＷＤＭ信号光の波長光を光増幅する際に、各々の前記方路での前記波長光に関するパラメータに応じて、互いに光強度が異なる励起光をいずれの前記方路に割り当てるかを判断する判断部を備える制御回路。
（付記２）
前記励起光のうち少なくとも１つが、前記ＷＤＭ信号光に含まれる全波長を光増幅可能な光強度であることを特徴とする付記１に記載の制御回路。
（付記３）
前記励起光が前記方路の前記波長光の光増幅に必要な光強度に未達である場合、前記方路の前記波長光の光増幅に予備の前記励起光を用いるよう判断することを特徴とする付記１又は２に記載の制御回路。
（付記４）
予備の前記励起光が、前記ＷＤＭ信号光に含まれる全波長を光増幅可能な光強度であることを特徴とする付記３に記載の制御回路。
（付記５）
付記１から４のいずれかに記載の制御回路と、
各々の前記方路に配置された光増幅器と、
互いに光強度が異なる前記励起光を出力する複数の光源と、
前記制御回路の判断に従い、前記光源からの前記励起光の光経路を切り換えて前記光増幅器へ入力する光スイッチと、
を備える光増幅制御装置。
（付記６）
付記１から４のいずれかに記載の制御回路と、
互いに光強度が異なる前記励起光を出力する複数の光源と、
前記光源からの前記励起光がそれぞれ入力される光増幅器と、
前記制御回路の判断に従い、前記方路の前記波長光の光経路を切り換えて前記光増幅器へ入力する光スイッチと、
を備える光増幅器制御装置。
（付記７）
前記光増幅器は、ＥＤＦであることを特徴とする付記５又は６に記載の光増幅器制御装置。
（付記８）
前記光増幅器は、ラマン増幅用ファイバでであることを特徴とする付記５又は６に記載の光増幅器制御装置。
（付記９）
複数の方路のいずれかを伝搬する分波されたＷＤＭ信号光の波長光を光増幅する際に、各々の前記方路での前記波長光に関するパラメータに応じて、互いに光強度が異なる励起光をいずれの前記方路に割り当てるかを判断する光増幅器制御方法。
（付記１０）
前記励起光のうち少なくとも１つが、前記ＷＤＭ信号光に含まれる全波長を光増幅可能な光強度であることを特徴とする付記９に記載の光増幅器制御方法。
（付記１１）
前記励起光が前記方路の前記波長光の光増幅に必要な光強度に未達である場合、前記方路の前記波長光を光増幅に予備の前記励起光を用いるよう判断することを特徴とする付記９又は１０に記載の光増幅器制御方法。
（付記１２）
予備の前記励起光が、前記ＷＤＭ信号光に含まれる全波長を光増幅可能な光強度であることを特徴とする付記１１に記載の光増幅器制御方法。
（付記１３）
各々の前記方路に配置された光増幅器に、互いに光強度が異なる前記励起光を切り換えて入力することを特徴とする付記９から１２のいずれかに記載の光増幅器制御方法。
（付記１４）
互いに光強度が異なる前記励起光が入力される光増幅器を経由するように前記波長光の光経路を切り換えることを特徴とする付記９から１２のいずれかに記載の光増幅器制御方法。
（付記１５）
複数の方路のいずれかを伝搬する分波されたＷＤＭ信号光の波長光を光増幅する際に、各々の前記方路での前記波長光に関するパラメータに応じて、互いに光強度が異なる励起光をいずれの前記方路に割り当てるかを判断させるように制御回路を動作させる光増幅器制御プログラム。
（付記１６）
前記励起光のうち少なくとも１つが、前記ＷＤＭ信号光に含まれる全波長を光増幅可能な光強度であることを特徴とする付記１５に記載の光増幅器制御プログラム。
（付記１７）
前記励起光が前記方路の前記波長光の光増幅に必要な光強度に未達である場合、前記方路の前記波長光を光増幅に予備の前記励起光を用いるよう判断するように前記制御回路を動作させることを特徴とする付記１５又は１６に記載の光増幅器制御プログラム。
（付記１８）
予備の前記励起光が、前記ＷＤＭ信号光に含まれる全波長を光増幅可能な光強度であることを特徴とする付記１７に記載の光増幅器制御プログラム。
（付記１９）
各々の前記方路に配置された光増幅器に、互いに光強度が異なる前記励起光を切り換えて入力する光スイッチを動作させることを特徴とする付記１５から１８のいずれかに記載の光増幅器制御プログラム。
（付記２０）
互いに光強度が異なる前記励起光が入力される光増幅器を経由するように前記波長光の光経路を切り換える光経路切換スイッチを動作させることを特徴とする付記１５から１８のいずれかに記載の光増幅器制御プログラム。
【符号の説明】
【００４６】
１、２：方路
３、４、５、６、７：ＥＤＦ
８、９：ＷＤＭ信号光
１１、１３、１８、２０、２２：スルー信号光
１２、１９、２１：ドロップ信号光
１４、２３：アド信号光
３２〜３５：光スイッチ
５０〜５３、５９、６０〜６７、６９：光カプラ
７０〜７９：ＰＤ
１００、１０１、１０３、７９９、８００：分波器
１９９、２００、２０１、２０２、４００、４０１：ＬＤ
２９７〜２９９、３００：制御回路
３０１：判断部
６００〜６０２：ラマン増幅用ファイバ
４０２〜４１３：光増幅器制御装置
９００、９０１：合波器
【図１】
0005614327.tif 000002
【図２】
0005614327.tif 000003
【図３】
0005614327.tif 000004
【図４】
0005614327.tif 000005
【図５】
0005614327.tif 000006
【図６】
0005614327.tif 000007
【図７】
0005614327.tif 000008
【図８】
0005614327.tif 000009
【図９】
0005614327.tif 000010
【図１０】
0005614327.tif 000011
【図１１】
0005614327.tif 000012
【図１２】
0005614327.tif 000013
【図１３】
0005614327.tif 000014
【図１４】
0005614327.tif 000015
【図１５】
0005614327.tif 000016
【図１６】
0005614327.tif 000017
【図１７】
0005614327.tif 000018